(57)【要約】【課題】  本発明は、活性炭内部に芳香成分を包含させることにより、悪臭の吸着と良好な芳香の放出の両面を併せ持つ優れた消臭芳香剤を提供することを目的とする。【解決手段】  活性炭に芳香成分を包含、担持させてなることを特徴とする消臭芳香剤。【選択図】  なし【特許請求の範囲】
【請求項１】
活性炭の内部に芳香成分を包含、担持させてなることを特徴とする消臭芳香剤。
【請求項２】
活性炭の原料が椰子殻である請求項１に記載の消臭芳香剤。
【請求項３】
活性炭の表面に光触媒を担持させてなる請求項１又は２に記載の消臭芳香剤。
【請求項４】
光触媒が、アナターゼ型酸化チタン及び／又はブルッカイト型酸化チタンを必須成分とするものである請求項３に記載の消臭芳香剤。
【請求項５】
活性炭粉末を、アナターゼ型酸化チタン微粒子分散溶液又はブルッカイト型酸化チタン微粒子分散溶液から選ばれた少なくとも１種の分散溶液に浸漬することにより、活性炭の表面に光触媒を担持、乾燥させてなる請求項３又は４に記載の消臭芳香剤。
【発明の詳細な説明】
【技術分野】
【０００１】
本発明は、悪臭を吸着すると共に、良好な芳香を発する消臭芳香剤に関する。
【背景技術】
【０００２】
活性炭は、木材、おがくず、木材乾留物、木炭、椰子殻又はリグニン等を原料（活性炭原料）として、これに特別処理（賦活処理）を施すことによって、気体や色素等に対する吸着能力を高めたものであり、生活臭等の臭いの成分やホルマリン、エチルベンゼン又はキシレン等のシックハウスの原因となるＶＯＣガス、更に水分等の吸着成分に対する吸着能力が比較的高く、且つ安価であることから、現在、水の浄化、冷蔵庫や下駄箱の消臭剤或いは空気清浄機のフィルターその他の消臭・吸着製品の分野において、最も広く使用されている吸着材となっている。
【発明の開示】
【発明が解決しようとする課題】
【０００３】
しかしながら、活性炭を用いた消臭剤はその吸着力が非常に高いことから、悪臭成分のみならず、一般の人にとって心地の良いとされる芳香成分まで吸着してしまうのであり、即ち、この活性炭を用いた消臭剤の近辺に芳香剤を設置したり、活性炭と芳香剤を同一の容器に投入したりすると、芳香剤から発する芳香成分が殆んど活性炭に吸着されてしまうといった問題が生じる。
【０００４】
そのため、芳香成分を活性炭に吸着されないようにするためには、吸気ダクトやファンなどの大掛かりな設備を備え、芳香成分が活性炭に接触しないように配慮する必要があった（例えば、特許文献１。）。
【０００５】
【特許文献１】特開平０７−２５９１５９号公報
【０００６】
そこで、この問題に鑑み、本発明者が鋭意検討を重ねた結果、活性炭に芳香成分を含浸してなることを特徴とする本発明の芳香吸着剤を完成するに至ったのである。
【０００７】
即ち、本発明者は、活性炭の内部に活性炭の吸着能を越える圧倒的多量の芳香成分を包含させると、活性炭からの芳香成分の放出と吸着の平衡バランスが放出側に偏り、良好な芳香の放出を長期間にわたって継続することができる一方で、活性炭の内部に芳香成分を包含しても、活性炭の表面に存在する細孔構造には殆んど影響が無く、悪臭に対する良好な吸着特性は維持される点に着目し、これより活性炭に芳香成分を含浸すれば、悪臭の吸着と良好な芳香の放出の両面を併せ持つ優れた消臭芳香剤になり得るとの知見を得たのである。
【０００８】
本発明は、上記知見に基づき完成されたものであって、活性炭の内部に芳香成分を包含、担持させることにより、悪臭の吸着と良好な芳香の放出の両面を併せ持つ優れた消臭芳香剤を提供することを目的とする。
【課題を解決するための手段】
【０００９】
この目的を達成するため、本発明における消臭芳香剤は、活性炭に芳香成分を包含、担持してなることを特徴とするものである。
以下、本発明の消臭芳香剤について詳細に説明する。
【００１０】
本発明における消臭芳香剤は、主として一般家庭における室内や自動車内などの生活空間の消臭及び芳香を目的として使用されるものである。
【００１１】
そして、本発明に係る消臭芳香剤においては、活性炭の内部に芳香成分を包含、担持させた点に最も大きな特徴を有する。
【００１２】
即ち、本発明の消臭芳香剤においては、活性炭の内部に活性炭の吸着能を越える圧倒的多量の芳香成分を包含させているから、活性炭からの芳香成分の放出と吸着の平衡バランスが放出側に偏り、良好な芳香の放出を長期間にわたって継続することができるのである。
【００１３】
又、活性炭の内部に芳香成分を包含させても、活性炭表面に存する細孔構造は殆んど変化しないことから、悪臭に対する良好な吸着特性は維持されるのであり、この結果、悪臭の吸着と良好な芳香の放出の両面を併せ持つ優れた消臭芳香剤となるのである。
【００１４】
ここで、本発明の消臭芳香剤において用いられる活性炭としては、特に限定されるものではなく、工業用の触媒の担体、脱臭剤、有機溶剤の回収等に用いられる通常の活性炭を適宜選択して用いることができる。
【００１５】
又、活性炭粉末の原料としても特に限定されるものではなく、木材、おがくず、木材乾留物、木炭、椰子殻又はリグニン等の既知の活性炭原料を好適に用いることができるが、中でも、入手しやすく、安価でしかも吸着能力の高い椰子殻を用いることが特に好ましい。
【００１６】
そして、本発明の消臭芳香剤は、この活性炭に芳香成分を包含、担持させたものであるが、この芳香成分としては、一般の人にとって心地の良い香り成分であれば特に限定されるものではなく、天然香料、天然香料から分離された単離香料、合成香料のいずれであってもよく、従来公知の芳香成分を使用することができる。
【００１７】
この芳香成分の具体例としては、炭素数６〜１２のアルデヒド、アニスアルデヒド、アセタールＲ、アセトフェノン、アセチルセドレン、アドキサール、アリルアミルグリコレート、アリルシクロヘキサンプロピオネート、アルファダマスコン、アンブレットリッド、アンブロキサン、アミルシンナミックアルデヒド、アミルシンナミックアルデヒドジメチルアセタール、アミルバレリアネート、アミルサリシレート、イソアミルアセテート、アセチルユゲノール、イソアミルサリシレート、インドール、αイオノン、βイオノン、αメチルイオノン、βメチルイオノン、γメチルイオノン、インデン、エチルワニリン、オウランチオール、オークモスＮｏ.１、オリボン、オキシフェニロン、カリオフィレン、カシュメラン、カルボン、ガラキソリッド、キャロン、クマリン、パラクレジールメチルエーテル、ゲラニオール、ゲラニルアセテート、ゲラニルフォーメート、ゲラニルニトリル、テトラヒドロゲラニオール、テトラヒドロゲラニールアセテート、コアボン、サンダロア、サンデラ、サンタレックス、サンタリノール、メチルサリシレート、シンナミックアルコール、シンナミックアルデヒド、シスジャスモン、シトラール、シトラールジメチルアセタール、シトラサール、シトロネラール、シトロネロール、シトロネリルアセテート、シトロネリルフォーメート、シトロネリルニトリル、シクラセット、シクラメンアルデヒド、シクラプロップ、シンナミルアセテート、ジヒドロジャスモン、ジメトール、イソシクロシトラール、ジャスマール、ジャスモラクトン、ジャスモフィラン、スチラリールアセテート、スチラリールプロピオネート、セドロアンバー、セドリルアセテート、セドロール、セレストリッド、βダマスコン、αターピネオール、γターピネオール、ターピニルアセテート、チモール、デルタダマスコン、デルタＣ６〜Ｃ１３ラクトン、トナリッド、トラセオライド、トリプラール、イソノニルアセテート、ネロール、ネリールアセテート、ネオベルガメート、ノピールアセテート、ノピールアルコール、バクダノール、ヒヤシンスジメチルアセタール、ヒドロトロピックアルコール、ヒドロキシシトロネラール、αピネン、ブチルブチレート、パラターシャリーブチルシクロヘキサノール、パラターシャリーブチルシクロヘキシルアセテート、オルトターシャリーブチルシクロヘキサノール、ジフェニルオキサイド、フルイテート、フェンチールアルコール、フェニルエチルフェニルアセテート、イソブチルキノリン、フェニルエチルアルコール、フェニルエチルアセテート、フェニルアセトアルデハイドジメチルアセタール、ベンジルアセテート、ベンジルアルコール、ベンジルサリシレート、ベルガミールアセテート、ベンズアルデヒド、ベンジルフォーメート、ジメチルベンジルカービノール、ヘディオン、ヘリオナール、ヘリオトロピン、シス−３−ヘキセノール、シス−３−ヘキセニールアセテート、シス−３−ヘキセニールサリシレート、ヘキシルシンナミックアルデヒド、ヘキシルサリシレート、ペンタリッド、ベルドックス、オルトボルニルアセテート、イソボルニルアセテート、イソボルネオール、エンド−ボルネオール、マンザネート、マイヨール、ミューゲアルデヒド、ミラック��ルデヒド、ジヒドロミルセノール、ジミルセトール、ムゴール、ムスクＴＭ−II、ムスク７８１、ムスクＣ１４、ムスクＴ、ムスクケトン、ムスクチベチン、ムスクモスケン、メンサニールアセテート、メンソネート、メチルアンスラニレート、メチルユゲノール、メントール、メチルフェニルアセテート、ユゲノール、イソユゲノール、メチルイソユゲノール、γＣ６〜１３ラクトン、ライムオキサイド、メチルラベンダーケトン、ジヒドロリナロール、リグストラール、リリアール、リモネン、リナロール、リナロールオキサイド、テトラヒドロリナロール、テトラヒドロリナリールアセテート、リナリルアセテート、リラール、ルバフラン、ローズフェノン、ローズオキサイド、ワニリン、ベンゾイン、ペルーバルサム、トルーバルサム、チュベローズ油、ムスクチンキ、カストリウムチンキ、シベットチンキ、アンバーグリスチンキ、ペパーミント油、ペリラ油、プチグレン油、パイン油、ローズ油、ローズマリー油、しょう脳油、芳油、クラリーセージ油、サンダルウッド油、スペアミント油、スパイクラベンダー油、スターアニス油、ラバンジン油、ラベンダー油、レモン油、レモングラス油、ライム油、ネロリ油、オークモス油、オコチア油、パチュリ油、タイム油、トンカ豆チンキ、テレピン油、ワニラ豆チンキ、バジル油、ナツメグ油、シトロネラ油、クローブ油、ボアドローズ油、カナンガ油、カルダモン油、カシア油、シダーウッド油、オレンジ油、マンダリン油、タンジェリン油、アニス油、ベイ油、コリアンダー油、エレミ油、ユーカリ油、フェンネル油、ガルバナム油、ゼラニウム油、ヒバ油、桧油、ジャスミン油、ベチバー油、ベルガモット油、イランイラン油、グレープフルーツ油又はゆず油等を挙げることができる。
【００１８】
なお、活性炭に芳香成分を包含、担持させる方法としては、芳香成分が液状であるならば、当該液状の芳香成分に活性炭を浸漬すれば良いのであり、一方、芳香成分が固形である場合、或いは液状であっても希釈を要するのであれば、例えば、水や、アルコールその他の有機溶媒を適宜選択し、これらの溶媒に芳香成分を溶解ないしは分散した後に、活性炭を浸漬して当該活性炭の内部に芳香成分を浸透すれば良いのである。
【００１９】
又、このように、活性炭に芳香成分を包含、担持させた後は、そのままの状態、即ち、ある程度濡れた状態であっても、或いは乾燥行程に供して生乾きの状態ないしは完全に乾燥させても良いのである。
【００２０】
そして、本発明においては、更に活性炭の表面に光触媒を担持させることが好ましい。
【００２１】
即ち、活性炭の表面に、光触媒の被膜を形成・担持させることにより、活性炭表面に吸着された悪臭成分が光触媒作用により分解され、長期間に亘る安定した消臭・吸着能力を発現し得る消臭芳香剤となるのである。
【００２２】
ここで、この光触媒としては、光吸収によって触媒反応を起こし、活性炭に吸着された悪臭成分を分解し得るものであれば特に制限されるものでない。
【００２３】
特に、光触媒としての酸化チタンは、白色顔料として広く使用されているものであり、通常の使用条件では、酸、アルカリ、水、有機溶剤に溶解せず、反応性の強いガスとも反応しない極めて安定な性状を有し、結晶構造として、ルチル、アナターゼ及びブルッカイトの３種の状態をとることができるが、中でもアナターゼ型又はブルッカイト型の結晶構造のものは、太陽光などの紫外線領域の光線が当たると、スーパーオキサイドアニオン（Ｏ2-）やヒドロキシラジカル（・ＯＨ）などのラジカル基を生成し、その強い酸化力により、有機物を分解する作用を発現する。
【００２４】
従って、本発明においては、光触媒が、アナターゼ型酸化チタン及び／又はブルッカイト型酸化チタンを必須成分とするものが特に望ましい。
【００２５】
この理由としては、第一に光触媒としてのアナターゼ型酸化チタン及び／又はブルッカイト型酸化チタンの吸着成分に対する分解能力が優れるからであるが、更に、活性炭表面にアナターゼ型酸化チタン及び／又はブルッカイト型酸化チタンを形成・担持させることにより、活性炭表面が灰色ないし白色となり、活性炭の黒いイメージを一新することができるからである。
【００２６】
従って、本発明の消臭芳香剤においては、前述のように、活性炭表面に担持される光触媒として、アナターゼ型酸化チタン及び／又はブルッカイト型酸化チタンを必須成分とするものが好ましいが、具体的には、活性炭表面に形成、担持される光触媒の被膜全体の３０〜１００重量％をアナターゼ型酸化チタン及び／又はブルッカイト型酸化チタンとすることが好ましく、特に５０〜１００重量％とするのが一層好ましい。
【００２７】
ここで、本発明において活性炭表面に光触媒を担持させる手段としては特に限定されるものではなく、例えば、スパッタリング、グロー放電、熱蒸着、化学蒸着或いはイオンプレーティング等のいわゆる蒸着による薄膜作成技術や、活性炭をチタンアルコキシドアルコール溶液に浸漬し、これを引き上げた後に加熱することにより、前記活性炭表面に酸化チタン被膜を形成する方法等を挙げることができるが、加熱によって芳香成分の変質が生じるおそれがあることから、本発明においては、活性炭粉末を、アナターゼ型酸化チタン微粒子分散溶液又はブルッカイト型酸化チタン微粒子分散溶液から選ばれた少なくとも１種の分散溶液に浸漬し、これを引き上げた後に乾燥することによって、前記活性炭粉末の表面にアナターゼ型酸化チタン及び／又はブルッカイト型酸化チタンの被膜を形成することが特に好ましい。この場合において、アナターゼ型酸化チタン微粒子分散溶液又はブルッカイト型酸化チタン微粒子分散溶液としてはこれらの酸化チタンの均一分散が容易で、しかも乾燥し易いアルコール分散液が望ましい。
【００２８】
ここで用いられるアナターゼ型酸化チタン微粒子アルコール分散溶液又はブルッカイト型酸化チタン微粒子アルコール分散溶液とは、少なくとも８０％以上がアナターゼ型又はブルッカイト型の結晶構造を有し、しかも平均一次粒子径が１００μｍ以下の酸化チタン微粒子を、メタノール、エタノール、イソプロパノール又はブタノール等のアルコール類に分散配合させた溶液であれば特に限定されるものではなく、水やその他の所望の分散剤を配合しても差し支えはないのである。
【００２９】
なお、このアナターゼ型酸化チタン微粒子としては、更に、平均一次粒子径が５０μｍ以下のものが好ましく、特に１〜２０μｍの程度のものがアルコール中での分散性が良好なため好ましい。このようなアナターゼ型酸化チタン微粒子としては、堺化学工業株式会社製のＳＳＰ−２５、ＳＳＰ−２０及びＳＳＰ−Ｍ等のＳＳＰシリーズやテイカ株式会社製のＡＭＴ−１００、ＡＭＴ−６００及びＳＴ−１５７等が市販されている。
【００３０】
本発明においては、このようなアナターゼ型酸化チタン微粒子又はブルッカイト型酸化チタン微粒子をアルコール類に分散配合させて、アナターゼ型酸化チタン微粒子アルコール分散溶液又はブルッカイト型酸化チタン微粒子アルコール分散溶液が調整されるが、アルコール中に分散されるアナターゼ型酸化チタン微粒子又はブルッカイト型酸化チタン微粒子の配合量としては、要求される光触媒機能に応じて適宜決定されるため特に限定されるものではないが、アルコール１リットルに対して１５〜５００ｇ程度が一般的であり、更に２５〜４５０ｇ程度が好ましく、特に３５〜４００ｇ程度が最も好ましい。
【００３１】
アルコール中に分散させるアナターゼ型酸化チタン微粒子の配合量が、アルコール１リットルに対して、１５ｇ以下となると、活性炭表面に形成されるアナターゼ型酸化チタン被膜が薄くなり、所望の光触媒機能が得られ難くなるため好ましくなく、一方、５００ｇを超えると、多すぎて無駄が多く、しかもアルコール溶液の粘性が上がり、活性炭表面に均一な被膜を形成することが困難となるため好ましくない。
【００３２】
そして、本発明においては、このようにして調整されたアナターゼ型酸化チタン微粒子アルコール分散溶液又はブルッカイト型酸化チタン微粒子アルコール分散溶液に、前記活性炭を浸漬し、これを引き上げた後、乾燥行程を経ることによって、前記活性炭の表面にアナターゼ型又はブルッカイト型の結晶構造を主とする酸化チタンの被膜を形成することができる。
【００３３】
なお、本発明においては、この浸漬と引き上げ工程を繰り返して行うことにより、酸化チタン被膜の膜厚（酸化チタンの担持量）が厚くなることが判明しており、所望によりこの浸漬−引き上げ工程を、例えば２〜５回程度の複数回繰り返して行っても良いのである。
【発明の効果】
【００３４】
本発明は、前記構成を有し、活性炭内部に芳香成分を包含、担持させることにより、悪臭の吸着と良好な芳香の放出の両面を併せ持つ優れた消臭芳香剤となるのである。
【００３５】
即ち、本発明の消臭芳香剤においては、活性炭の内部に活性炭の吸着能を越える多量の芳香成分を包含、担持させているから、活性炭からの芳香成分の放出と吸着の平衡バランスが放出側に偏り、良好な芳香の放出を長期間にわたって継続することができるなどの効果を奏するのである。
【００３６】
又、本発明の消臭芳香剤においては、活性炭の内部に芳香成分を包含させても、活性炭表面に存する細孔構造は殆んど変化しないことから、悪臭に対する良好な吸着特性は維持されるのであり、これより、悪臭の吸着と良好な芳香の放出の両面を併せ持つなどの優れた効果を奏するのである。
【発明を実施するための最良の形態】
【００３７】
以下、本発明の実施例を説明するが、本発明はこの実施例に限定されるものではない。
【００３８】
＜活性炭＞
椰子殻を乾燥して微粉を除いた活性炭原料を焼成炭用ロータリーキルン（８５０〜９５０℃）に入れ、赤熱した状態で水蒸気、炭酸ガス（燃焼ガス中のＣＯ2）及び酸素（燃焼空気中のＯ2）で活性化することにより、粒状の活性炭（ＣＴＣ：５５．４２％）を得た。
【００３９】
＜芳香成分＞
芳香成分として、市販のラベンダー油を用いた。
【００４０】
＜アナターゼ型酸化チタン微粒子アルコール分散溶液＞
アナターゼ型酸化チタン微粒子として、堺化学工業株式会社製のＳＳＰ−２５を用い、エタノールを加え、十分に攪拌することにより、アナターゼ型酸化チタン微粒子アルコール分散溶液を得た。
【実施例１】
【００４１】
前記ラベンダー油中に前記活性炭を浸漬し、活性炭の内部に充分にラベンダー油が含浸、包含されるように一昼夜放置した後に引き上げることにより、実施例１に係る本発明の消臭芳香剤を得た。
【実施例２】
【００４２】
前記アナターゼ型酸化チタン微粒子アルコール分散溶液に、前記実施例１で得られた消臭芳香剤を１時間浸漬した後に引き上げることにより、実施例２に係る本発明の消臭芳香剤を得た。
【００４３】
＜芳香消臭試験＞
実施例１及び実施例２で得られた消臭芳香剤をそれぞれ１００ｇを採取し、これを２００ｍｌのビーカーに入れ、これらをそれぞれ試験期間を違えて当社喫煙室内（約１２ｍ2）に設置した。
【００４４】
又、比較例として、試験期間を違えて前記活性炭１００ｇを２００ｍｌのビーカーに入れたものも、同様に当社喫煙室内に設置した。
【００４５】
設置後２日経過した時点において、喫煙室内の状態を確認したところ、実施例１及び実施例２の消臭芳香剤を設置した場合においては、タバコの臭いがかなり緩和されている上、ラベンダーの心地の良い香りが喫煙室内を良好な環境に保っていることが認められた。
【００４６】
一方、前記活性炭を設置した場合については、当該活性炭の吸着作用によりある程度のタバコの臭いが緩和されていることは認められたが、喫煙室内の独特の臭気が残存していることが認められた。
【００４７】
又、設置後５カ月経過した後は、実施例１に係る消臭芳香剤及び前記活性炭を設置した場合においては、活性炭の吸着作用が消失していることが認められたが、実施例１に係る消臭芳香剤については、ラベンダーの心地の良い香りが残存しており、依然、喫煙室内を良好な環境に保っていることが認められた。
【００４８】
一方、実施例２に係る消臭芳香剤については、５カ月した後も活性炭の吸着作用が依然活性であり、その後２ヶ月経過した後も、タバコの臭いがかなり緩和されている上、ラベンダーの心地の良い香りが喫煙室内を良好な環境に保っていることが認められた。